【誤訳訂正書】
【提出日】平成23年9月26日(2011.9.26)
【誤訳訂正１】
【訂正対象書類名】特許請求の範囲
【訂正対象項目名】全文
【訂正方法】変更
【訂正の内容】
【特許請求の範囲】
【請求項１】
移動端末機において点対多点サービスを受信する方法であって、
前記方法は、
前記移動端末機において、時間的オフセットを含む制御情報を受信することであって、前記制御情報は、現在セル点対多点無線ベアラ情報メッセージを通じて現在セルから受信されるか、または、隣りセル点対多点無線ベアラ情報メッセージを通じて隣りセルから受信される、ことと、
前記移動端末機において、前記現在セルから第１点対多点サービス送信ブロックを受信することと、
前記移動端末機において、前記受信された時間的オフセットを利用して接続フレーム番号を計算することと、
前記移動端末機において、前記計算された接続フレーム番号を利用して前記隣りセルから第２点対多点サービス送信ブロックを受信することであって、前記第２点対多点サービス送信ブロックの受信は、前記第１点対多点サービス送信ブロックが受信されている間に起こる、ことと、
前記移動端末機において、前記第１点対多点サービス送信ブロックと前記第２点対多点サービス送信ブロックとを結合することと
を含む、方法。
【請求項２】
前記時間的オフセットを含む制御情報は、サービス無線網制御器から受信される、請求項１に記載の方法。
【請求項３】
前記時間的オフセットは、フレームオフセットと時間オフセットとのうちの一つを含む、請求項１に記載の方法。
【請求項４】
前記時間的オフセットを含む制御情報は、無線資源制御（ＲＲＣ）信号メッセージを通じて受信される、請求項１に記載の方法。
【請求項５】
前記時間的オフセットを含む制御情報は、点対多点サービス制御チャンネルと放送制御チャンネルとのうちの一つを通じて受信される、請求項１に記載の方法。
【請求項６】
前記点対多点サービスは、マルチメディア放送／マルチキャストサービスを含む、請求項１に記載の方法。
【請求項７】
前記第１点対多点サービス送信ブロックおよび前記第２点対多点サービス送信ブロックは、マルチメディア放送／マルチキャストサービストラフィックチャンネル（ＭＴＣＨ）にマッピングされた第２共通制御物理チャンネル（ＳＣＣＰＣＨ）を介して受信される、請求項１に記載の方法。
【請求項８】
移動端末機であって、
前記移動端末機は、
現在セルからの第１点対多点サービス送信ブロックと、隣りセルからの第２点対多点サービス送信ブロックと、制御情報とを含むＲＦ信号を受信するように構成されたアンテナ部であって、前記制御情報は、現在セル点対多点無線ベアラ情報メッセージを通じて前記現在セルから受信されるか、または、隣りセル点対多点無線ベアラ情報メッセージを通じて前記隣りセルから受信され、前記制御情報は、時間的オフセットを含む、アンテナ部と、
前記アンテナ部によって受信された前記ＲＦ信号を処理するように構成されたＲＦ部と、
使用者から情報を入力するためのキーパッド部と、
前記第１点対多点サービス送信ブロックと、前記第２点対多点サービス送信ブロックと、前記制御情報とを保存するように構成された保存部と、
前記使用者に情報を伝達するように構成されたディスプレイ部と、
前記時間的オフセットを利用して接続フレーム番号を計算することと、前記第１点対多点サービス送信ブロックを処理することと、前記計算された接続フレーム番号に従って前記第２点対多点サービス送信ブロックを処理することと、前記第１点対多点サービス送信ブロックと前記第２点対多点サービス送信ブロックとを結合することとを実行するように構成された処理部であって、前記第１点対多点サービス送信ブロックの処理は、前記第２点対多点サービス送信ブロックが処理されている間に起こる、処理部と
を備える、移動端末機。
【請求項９】
前記時間的オフセットは、フレームオフセットと時間オフセットとのうちの一つを含む、請求項８に記載の移動端末機。
【請求項１０】
前記処理部は、さらに、無線資源制御（ＲＲＣ）信号メッセージから前記時間的オフセットを含む制御情報を抽出するように構成される、請求項８に記載の移動端末機。
【請求項１１】
前記処理部は、さらに、点対多点サービス制御チャンネルと放送制御チャンネルとのうちの一つを通じて前記時間的オフセットを含む制御情報を処理するように構成される、請求項８に記載の移動端末機。
【請求項１２】
前記移動端末機は、マルチメディア放送／マルチキャストサービスを受信するように構成される、請求項８に記載の移動端末機。
【請求項１３】
前記第１点対多点サービス送信ブロックおよび前記第２点対多点サービス送信ブロックは、マルチメディア放送／マルチキャストサービストラフィックチャンネル（ＭＴＣＨ）にマッピングされた第２共通制御物理チャンネル（ＳＣＣＰＣＨ）を介して受信される、請求項８に記載の移動端末機。
【請求項１４】
移動端末機において点対多点サービスを受信する方法であって、
前記方法は、
前記移動端末機において、現在セルから第１点対多点サービス送信ブロックを受信することと、
前記移動端末機において、現在セル点対多点無線ベアラ情報メッセージを通じて前記現在セルから第１制御情報を受信することであって、前記第１制御情報は、第１時間的オフセットを含む、ことと、
前記移動端末機において、隣りセル点対多点無線ベアラ情報メッセージを通じて隣りセルから第２制御情報を受信することであって、前記第２制御情報は、第２時間的オフセットを含む、ことと、
前記移動端末機において、前記第１時間的オフセットおよび前記第２時間的オフセットのうちの少なくとも一つを利用して接続フレーム番号を計算することと、
前記移動端末機において、前記計算された接続フレーム番号を利用して前記隣りセルから第２点対多点サービス送信ブロックを受信することであって、前記第２点対多点サービス送信ブロックの受信は、前記第１点対多点サービス送信ブロックが受信されている間に起こる、ことと、
前記移動端末機において、前記第１点対多点サービス送信ブロックと前記第２点対多点サービス送信ブロックとを結合することと
を含む、方法。
【請求項１５】
前記第１時間的オフセット、前記第２時間的オフセットをそれぞれ含む前記第１制御情報、前記第２制御情報は、サービス無線網制御器から受信される、請求項１４に記載の方法。
【請求項１６】
前記第１時間的オフセット、前記第２時間的オフセットは、それぞれ、フレームオフセットまたは時間オフセットを含む、請求項１４に記載の方法。
【請求項１７】
前記第１時間的オフセット、前記第２時間的オフセットをそれぞれ含む前記第１制御情報、前記第２制御情報は、無線資源制御（ＲＲＣ）信号メッセージを通じて受信される、請求項１４に記載の方法。
【請求項１８】
前記第１時間的オフセット、前記第２時間的オフセットをそれぞれ含む前記第１制御情報、前記第２制御情報は、点対多点サービス制御チャンネルまたは放送制御チャンネルを通じて受信される、請求項１４に記載の方法。
【請求項１９】
前記点対多点サービスは、マルチメディア放送／マルチキャストサービスを含む、請求項１４に記載の方法。
【請求項２０】
前記第１点対多点サービス送信ブロックおよび前記第２点対多点サービス送信ブロックは、マルチメディア放送／マルチキャストサービストラフィックチャンネル（ＭＴＣＨ）にマッピングされた第２共通制御物理チャンネル（ＳＣＣＰＣＨ）を介して受信される、請求項１４に記載の方法。
【誤訳訂正２】
【訂正対象書類名】明細書
【訂正対象項目名】全文
【訂正方法】変更
【訂正の内容】
【発明の詳細な説明】
【発明の名称】マルチメディア放送／マルチキャストサービス送信ブロックを送信及び受信するための方法及び装置
【技術分野】
【０００１】
本発明はマルチメディア放送／マルチキャストサービス送信ブロックを送信及び受信するための方法及び装置に関するものである。たとえ、本発明は広い範囲の適用に好適であるが、特に端末がマルチメディア放送／マルチキャストサービス送信ブロックをより效率的に受信することができるようにする。
【背景技術】
【０００２】
図１は、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の網構成の回路構成図である。図１を参照すると、汎用移動通信システム（以下、‘ＵＭＴＳ’）は端末１（以下、‘ＵＥ’）と、ＵＭＴＳ無線接続網２（以下、‘ＵＭＲＡＮ’）と、核心網３（以下、‘ＣＮ’）を含む。ＵＴＲＡＮは、一つ以上の無線網副システム４（以下、‘ＲＮＳ’）を含んで、各ＲＮＳは無線網制御器５（以下、‘ＲＮＣ’）と、無線網制御器によって管理される一つ以上の基地局６（以下、‘Ｎｏｄｅ  Ｂ’）を含む。Ｎｏｄｅ  Ｂは一つ以上のセル（ｃｅｌｌ）を含む。
【０００３】
図２は、ＵＥ１とＵＴＲＡＮ２との間の無線  インターフェースプロトコルの構造図である。図２を参照すると、無線インターフェースプロトコルは物理階層、データリンク階層及びネットワーク階層を水平的に含んで、無線  インターフェースプロトコルはデータ情報送信のための使用者平面と制御信号伝達のための制御平面を含む。図２のプロトコル階層らは、通信システムで広く知られた開放型システム間の相互接続（ＯＳＩ）の下位３個階層を基準とする時、Ｌ１（第１階層）、Ｌ２（第２階層）、Ｌ３（第３階層）で分けられることができる。
【０００４】
第１階層である物理階層は、物理チャンネルを利用して情報送信サービスを上位階層に提供する。物理階層は送信チャンネルを通じて前記物理階層の上位にある媒体接続制御階層（ＭＡＣ）に連結されているし、前記送信チャンネルを通じて媒体接続制御階層と物理階層との間のデータが移動する。データはお互いに違う物理階層との間、特に送信側と受信側の物理階層との間で物理チャンネルを通じて送信される。
【０００５】
第２階層の媒体接続制御階層は、論理チャンネルを通じて前記媒体接続制御階層の上位階層である無線リンク制御（以下、ＲＬＣ）階層にサービスを提供する。第２階層の無線リンク制御階層は、信頼性あるデータ送信を支援して上位階層から下ったＲＬＣサービスデータ単位の分割及び連結機能を遂行する。
【０００６】
ＲＬＣ階層は３種のモードで作動して、これらはそれぞれ透明モード、無回答モード及び回答モードである。ＲＬＣ階層の主要機能は、ＳＤＵ廃棄機能である。送信側ＲＬＣエンティティーがＲＬＣバッファーの過負荷を防止するために、前記送信側ＲＬＣエンティティー内に保存されている古いＲＬＣ  ＳＤＵを廃棄する。ＳＤＵ廃棄機能はＲＬＣ階層によって提供される無線ベアラサービスのサービス品質（以下、ＱｏＳ）を保障するのに重要な役割をする。
【０００７】
送信側ＲＬＣエンティティーがＳＤＵを廃棄する条件は、タイマーによる方法または再送信回数制限による方法がある。透明モードまたは無回答モードでは、ただタイマーによる方法だけが使用される。回答モードではタイマー及び再送信回数制限すべてが使用されることができる。
【０００８】
ＲＬＣ階層が透明モードで作動する場合には、上位階層から下ったＲＬＣ  ＳＤＵにどのようなヘッダー情報も加えられないし、データがＲＬＣ  ＰＤＵ形態で受信側に送信される。ＲＬＣ  ＳＤＵの分割及び再組み立ては、無線ベアラ（以下、‘ＲＢ’）を設定する時に使用可否が決まる。
【０００９】
送信側透明モードＲＬＣエンティティーと受信側透明モードＲＬＣエンティティーは、片方向にデータを送るために構成される。よって、両方向にデータを送ろうとする場合に、端末とＵＴＲＡＮは送信側透明モードＲＬＣエンティティーと受信側透明モードＲＬＣエンティティーをそれぞれ具備しなければならない。
【００１０】
ＲＬＣ階層が無回答モードで作動する場合には、上位階層から下ったＲＬＣ  ＳＤＵにヘッダー情報が加えられてデータがＲＬＣ  ＰＤＵ形態で受信側に送信される。ＲＬＣ  ＰＤＵの送信が失敗する場合にも再送信が支援されない。よって、送信中にデータが損失されるか、または問題が発生する場合にも受信側は再送信を要求しないだけでなく、関連データを廃棄する。
【００１１】
無回答モードの場合に、送信側無回答モードＲＬＣエンティティーはデータを受信側無回答モードＲＬＣエンティティーに片方向に送る。よって、データ送信が両方向である場合に、端末とＵＴＲＡＮは送信側無回答モードＲＬＣエンティティーと受信側無回答モードＲＬＣエンティティーをそれぞれ具備しなければならない。
【００１２】
ＲＬＣ階層が回答モードで動作する場合には、上位階層から送信されたＲＬＣ  ＳＤＵにヘッダー情報が加えられてデータがＲＬＣ  ＰＤＵ形態で受信側に送信される。ＲＬＣ
ＰＤＵの送信が失敗する場合に再送信が支援される。
【００１３】
特に、送信側ＲＬＣ階層は受信側ＲＬＣ階層から該当パッケージの送信成功の可否を判断することができる状態情報を受けて再送信が必要なＲＬＣ  ＰＤＵを再送信する。回答モードの場合に、端末とＵＴＲＡＮすべてで送信部及び受信部を含む回答モードＲＬＣエンティティーが両方向通信ができるようにする。
【００１４】
無線資源制御階層は、制御平面のみで定義されて無線ベアラの設定、再設定の未解除と関連されて論理チャンネル、送信チャンネル及び物理チャンネルを制御する。無線ベアラは端末とＵＴＲＡＮとの間のデータ伝達のために第２階層によって提供されるサービスである。一般的に、ＲＢを設定することは特定サービスを提供するために必要なプロトコル階層及びチャンネルの特性を規定してこれらのためのそれぞれの所定のパラメーター及び動作方法を設定することを意味する。
【００１５】
マルチメディア放送／マルチキャストサービス（以下、‘ＭＢＭＳ’）は、下向き専用ＭＢＭＳベアラサービスを利用して複数の端末にストリーミングまたはバックグラウンド（ｂａｃｋｇｒｏｕｎｄ）サービスを提供する。ＭＢＭＳは一つのセッション中に提供されて、ＭＢＭＳデータはセッションが進行中である間にＭＢＭＳベアラサービスを通じて多数の端末１に送信される。端末１は端末が加入されるＭＢＭＳを受信するための第１作動を遂行して作動したサービスのみを受信する。
【００１６】
ＵＴＲＡＮ２は無線ベアラを利用して一つ以上の端末１にＭＢＭＳベアラサービスを提供する。ＵＴＲＡＮ２によって利用される無線ベアラは点対点無線ベアラと点対多無線ベアラがある。
【００１７】
点対点無線ベアラは両方向無線ベアラであり、論理チャンネルである専用トラフィックチャンネル（ＤＴＣＨ）、送信チャンネルである専用チャンネル（ＤＣＨ）、及び物理チャンネルである専用物理チャンネル（ＤＰＣＨ）または物理チャンネルである第２共通制御物理チャンネル（ＳＣＣＰＣＨ）によって構成される。点対多無線ベアラは片方向下向き無線ベアラであり、論理チャンネルであるＭＢＭＳトラフィックチャンネル（ＭＴＣＨ）、送信チャンネルであるフォーワード接続チャンネル（ＦＡＣＨ）及び物理チャンネルである第２共通物理チャンネル（ＳＣＰＣＨ）によって構成される。論理チャンネルＭＴＣＨは一つのセルに提供される個別ＭＢＭＳのために設定されて、特定ＭＢＭＳの使用者平面データを複数の端末に送るために使用される。
【００１８】
図３に示すように、従来システムの論理チャンネルＭＣＣＨ（ＭＢＭＳ制御チャンネル）はＭＢＭＳと関連される制御情報を送るために使用される点対多下向きチャンネルである。論理チャンネルＭＣＣＨは送信チャンネルＦＡＣＨにマッピングされて、送信チャンネルＦＡＣＨは物理チャンネルＳＣＣＰＣＨにマッピングされる。一つのセルはただ一つのＭＣＣＨを具備する。
【００１９】
ＭＢＭＳサービスを提供するＵＴＲＡＮ２は、ＭＣＣＨチャンネルを通じてＭＣＣＨ情報を一つ以上の端末１に送る。ＭＣＣＨ情報は通知メッセージ、特にＭＢＭＳと関連されるＲＲＣメッセージを含む。例えば、ＭＣＣＨ情報はＭＢＭＳサービス情報を知らせてくれるメッセージ、点対多無線ベアラ情報を知らせてくれるメッセージ、またはＭＢＭＳのためにＲＲＣ連結が要請されることを知らせてくれるアクセス情報を含む。
【００２０】
図４はＭＣＣＨ情報が従来方法でどのように送信されるかを示す説明図である。図５はＭＢＭＳを提供するための従来方法を示す。ＭＢＭＳサービスを提供するＵＴＲＡＮ２はＭＣＣＨチャンネルを通じて多数の端末１を送る。ＭＣＣＨ情報は変更周期と繰り返し周期によって周期的に送信される。
【００２１】
ＭＣＣＨ情報は、重要情報（ｃｒｉｔｉｃａｌ  ｉｎｆｏｒｍａｔｉｏｎ）と非重要情報（ｎｏｎ−ｃｒｉｔｉｃａｌ  ｉｎｆｏｒｍａｔｉｏｎ）で区分される。非重要情報は、変更周期と繰り返し周期ごとに自由に変更されることができる。しかし、重要情報はただ変更周期ごとに変更されることができる。
【００２２】
特に、重要情報は繰り返し周期ごとに一回ずつ繰り返される。しかし、変更された重要情報は変更周期の開始地点のみで送信されることができる。
【００２３】
二つ以上の隣りセルらがＭＢＭＳと関連される同一な情報をＭＴＣＨを通じて送る場合に、端末は受信感度を増加させるために前記セルから送信されるＭＴＣＨをソフト結合して受信する。ソフト結合を容易にするために、同一な時間区間のセルからの送信ブロックはすべて同一でなければならなくて、ＵＴＲＡＮは所定の送信時間の間隔（以下、ＴＴＩ）に一つの送信チャンネルに該当する送信ブロックを送らなければならない。
【００２４】
一つの送信ブロックは、一つのＴＴＩの間に一つの送信チャンネルを通じて送信される。送る送信ブロックが存在する場合に、送信側ＭＡＣはＴＴＩ単位による物理階層に一つ以上の送信ブロックを伝達する。送信側物理階層はＭＡＣから受信した送信ブロックをエンコードして受信側物理階層に送る。
【００２５】
図３に示すように、受信側物理階層がエンコードされたデータを成功的にデコーディングするようにするために、送信側は前記エンコードされたデータとともに送信フォーマット（以下、‘ＴＦ’）情報を受信側に送る。ＴＦ情報を送信側から受信した以後に、受信側物理階層は送信ブロックを再構成するためにＴＦを利用して受信されたデータをデコーディングする。再構成された送信ブロックはＴＴＩ単位によって受信側ＭＡＣに伝達する。
【００２６】
ＴＦ情報は一つの送信チャンネルが有するさまざまな属性（ａｔｔｒｉｂｕｔｅ）を含む。ＴＦ情報の属性は半静的属性と動的属性とで分類されることができる。半静的属性は、ＲＲＣメッセージによって徐徐に変更されることができるＴＦ情報である。動的属性は、ＴＴＩ単位または無線フレーム単位によって速かに変更されることができるＴＦ情報である。
【００２７】
動的属性は、送信フォーマット組合せインジケータ（以下、‘ＴＦＣＩ’）を通じて伝達する。送信側は物理チャンネルの制御フィールドを通じて受信側にＴＦＣＩを送る。
【００２８】
ＴＦ情報の代表的な動的特性は、送信ブロックの大きさと送信ブロックセットの大きさである。送信ブロックの大きさはＴＴＩ内の送信ブロックのセットとして定義される。
【００２９】
一つの送信ブロックは、一つのＭＡＣ  ＳＤＵと一つのＭＡＣヘッダーを含んで構成される一つのＭＡＣ  ＰＤＵ（ｐｒｏｔｏｃｏｌ  ｄａｔａ  ｕｎｉｔ）で定義される。一つ以上の送信ブロックは一つのＴＴＩの間に伝達することができる。
【００３０】
同一なＴＴＩのために送信される送信ブロックの大きさは同一である。よって、送信ブロックセットの大きさは送信ブロックの大きさの倍数である。
【００３１】
ＲＲＣは一つの送信チャンネルに対して送信可能な送信ブロックの大きさ値らの集合を設定する。一つの送信チャンネルの送信ブロックらの集合は送信フォーマット集合（ＴＦＳ）と呼ばれる。
【００３２】
２個以上の送信チャンネルらが送信のために一つの物理チャンネルにマッピングされる。ＲＲＣは該当物理チャンネルを通じて同一な送信区間に同時に送信されることができる送信チャンネルらの送信ブロックらの組合の集合を設定する。一つの物理チャンネルにマッピングされる二つ以上の送信チャンネルらの送信ブロックらの組合の集合をＴＦＣＳ（ｔｒａｎｓｐｏｒｔ  ｆｏｒｍａｔ  ｃｏｍｂｉｎａｔｉｏｎ  ｓｅｔ）と称する。
【００３３】
ＲＮＳは物理チャンネルに対するＴＦＣＳ情報を送信側と受信側に送る。ＴＦＣＳ情報を送るために、ＲＮＣはＴＦＣＳ情報を直接送るよりはＴＦＣＳ情報を送信のためのＣＴＦＣ（ｃａｌｃｕｌａｔｅｄ  ｔｒａｎｓｐｏｒｔ  ｆｏｒｍａｔ  ｃｏｍｂｉｎａｔｉｏｎ）情報に変換して送信側と受信側に送る。
【００３４】
接続フレーム番号（以下、ＣＦＮ）は、端末とＵＴＲＡＮとの間の第２階層（層２）／送信チャンネル同期化のために使用されるフレームカウンターである。ＣＦＮ値は一つのＴＢＳと関連されてＭＡＣ−Ｌ１ＳＡＰを通じて送信される。
【００３５】
ＣＦＮは層２で共用フレーム参照のために使用されることができる。例えば、ＣＦＮは同期化された送信チャンネル再構成のために使用されることができる。
【００３６】
ＭＢＭＳ送信において、端末は同一なＭＢＭＳを提供する隣合う多くのセルらから同一なＭＢＭＳ送信ブロックを受信して受信感度を増加させることができる。一般に、ＭＢＭＳ送信ブロックの送信は一つのＴＴＩの送信に必要なフレーム個数の倍数に該当するＣＦＮのみで始まることができる。
【００３７】
したがって、お互いに違う多くのＭＢＭＳ送信ブロックらが一つのチャンネルにマッピングされて送信される場合に、ソフト結合ができるようにする時間内にＭＢＭＳ送信ブロックを送ることができないことがある。このような問題点を解決するために、ＭＢＭＳサービス送信が遅延されることでチャンネル資源を無駄にする。
【００３８】
したがって、一つのＴＴＩ送信に必要なフレームの倍数に該当するＣＦＮ以外に他の時点でもＭＢＭＳ送信ブロックの送信を始める必要がある。しかし、従来方法によると、ＭＢＭＳ送信ブロックの送信開始時点に対する情報を端末が分かることができないので、ソフト結合の效率が落ちる。
【００３９】
したがって、端末がＭＢＭＳ送信ブロックの送信開始時点に対する情報が分かるようにしてソフト結合の效率を増加させることができるマルチメディア放送／マルチキャストサービス（ＭＢＭＳ）送信ブロックを送受信するための方法及び装置に対する需要がある。本発明はこのような需要を狙ったものである。
【発明の開示】
【発明が解決しようとする課題】
【００４０】
本発明の特徴及び長所らは下の記述から部分的に明白に記述されるか、または本発明の実施例を通じて得られることができる。本発明の目的及び長所らは記述された発明の詳細な説明及びその特許請求範囲だけでなく、添付された図面に指摘された構成によって実現して達成される。
【００４１】
本発明は従来方法の制限と短所による一つ以上の問題点を実質的に防止する、マルチメディア放送／マルチキャストサービス（ＭＢＭＳ）送信ブロックを送受信するための装置及び方法に関するものである。本発明の目的は、ＭＢＭＳ送信ブロックが端末によって效率的に受信されることができるマルチメディア放送／マルチキャストサービス（ＭＢＭＳ）送信ブロックを送受信するための方法及び装置を提供するものである。
【課題を解決するための手段】
【００４２】
本発明の一態様において、移動端末機内で点対多点サービスを受信するための方法が提供される。前記方法は、現在セルから第１点対多点サービス送信ブロックを受信する段階、現在セルから時間的オフセットを含む制御情報を受信する段階、現在セルから第１点対多点サービス送信ブロックを受信する間に時間的オフセットを利用して隣りセルから第２点対多点サービス送信ブロックを受信する段階、及び前記第１及び第２点対多点サービス送信ブロックを結合する段階を含む。
【００４３】
時間的オフセットを含んだ制御情報がサービス無線網制御器から受信されることができる。望ましくは、時間的オフセットがフレームオフセットと時間オフセットとのうちで一つを含む。
【００４４】
時間的オフセットを含んだ制御情報がＲＲＣ信号処理メッセージを通じて受信されることができる。望ましくは、時間的オフセットを含んだ制御情報は点対多点サービス制御チャンネルと放送制御チャンネルとのうちで一つを通じて受信される。
【００４５】
点対多点サービスは、マルチメディア放送／マルチキャストサービスを含むことができる。時間的オフセットは送信ブロックを送るための接続フレーム番号（ＣＦＮ）と関連される。
【００４６】
第２点対多点サービス送信ブロックを受信するための接続フレーム番号は時間的オフセットを利用して決まることができる。また、時間的オフセットを含んだ制御情報は共用範囲ベアラ情報メッセージ、現在セル点対多点範囲ベアラ情報メッセージ及び／または隣りセル点対多点範囲ベアラ情報メッセージを通じて受信されることができる。
【００４７】
本発明の他の態様において、一つ以上の移動端末機に点対多点サービスを提供するための方法が提供される。前記方法は、一つ以上の移動端末機が現在位置した第１セルから第１点対多点サービス送信ブロックを提供する段階、時間的オフセットを含んだ制御情報を前記第１セルから提供する段階、及び前記第１セルから前記第１点対多点サービス送信ブロックを提供する間に時間的オフセットを利用して第２セルから第２点対多点サービス送信ブロックを提供する段階を含む。
【００４８】
時間的オフセットを含んだ制御情報は、サービス無線網制御器から提供されることができる。望ましくは、時間的オフセットがフレームオフセットと時間オフセットとのうちで一つを含む。
【００４９】
時間的オフセットを含んだ制御情報がＲＲＣ信号処理メッセージを通じて受信されることができる。望ましくは、時間的オフセットを含んだ制御情報は点対多点サービス制御チャンネルと放送制御チャンネルのうちで一つを通じて受信される。
【００５０】
点対多点サービスは、マルチメディア放送／マルチキャストサービスを含むことができる。時間的オフセットは送信ブロックを送るための接続フレーム番号（ＣＦＮ）と関連されることができる。
【００５１】
第２点対多点サービス送信ブロックを受信するための接続フレーム番号は、時間的オフセットを利用して決まることができる。また、時間的オフセットを含んだ制御情報は一つ以上の共用範囲ベアラ情報メッセージ、現在セル点対多点範囲ベアラ情報メッセージ及び／または隣りセル点対多点範囲ベアラ情報メッセージを通じて提供されることができる。
【００５２】
本発明のまた他の態様において、移動端末機内に点対多点サービスを受信するための移動通信端末機が提供される。前記移動端末機は現在セルから第１点対多点サービス送信ブロック、隣りセルから第２点対多点サービス送信ブロック及び現在セルから時間的オフセットを具備した制御情報を含むＲＦ信号を受信するように構成されたアンテナ部、前記アンテナによって受信される無線周波数信号を処理するように構成された無線周波数部、使用者から情報を入力するためのキーパッド部、前記第１点対多点サービス送信ブロックと第２点対多点サービス送信ブロックと制御情報を保存するように構成されたメモリー部、情報を使用者に見せてくれるように構成されたディスプレイ装置及び前記第１及び第２点対多点サービス送信ブロックを結合するために第１点対多点サービス送信ブロックを処理する間に時間的オフセットによって第２点対多点サービス送信ブロックを処理するように構成された処理部を含む。
【００５３】
時間的オフセットはフレームオフセットまたは時間オフセットを含むことができる。望ましくは、処理部はＲＲＣ信号処理メッセージから時間的オフセットを含んだ制御情報を除去するように構成される。
【００５４】
処理部は点対多点サービス制御チャンネルまたは放送制御チャンネルのうちで一つを通じて時間的オフセットを含んだ制御情報を処理するように構成されることもできる。前記点対多点サービスは、マルチメディア放送／マルチキャストサービスを含むことができる。望ましくは、時間的オフセットは送信ブロックを送るための接続フレーム番号（ＣＦＮ）と関連される。
【００５５】
処理部は時間的オフセットを利用して第２点対多点サービスを受信するために接続フレーム番号を決めるように構成されることができる。望ましくは、処理部は共用範囲ベアラ情報メッセージ、現在セル点対多点範囲ベアラ情報メッセージ及び／または隣りセル点対多点範囲ベアラ情報メッセージから時間的オフセットを含んだ制御情報を除去するように構成される。
【００５６】
本発明のまた他の態様において、点対多点サービスを一つ以上の移動端末機に提供するための網が提供される。網は第１点対多点サービス送信ブロック、第２点対多点サービス送信ブロック及び制御情報を含んだ信号を一つ以上の移動通信端末機に送るように構成された一つ以上の送信機と、一つ以上の移動通信端末機から信号を受信するように構成された受信機と、及び第１点対多点サービス送信ブロックを送る間に時間的オフセットによって制御情報内の時間的オフセットを含んで、第２点対多点サービス送信ブロックを送るために送信機を制御するように構成された制御器を含んで、前記第１点対多点サービス送信ブロックと制御情報は一つ以上の移動端末機が現在位置する第１セルから提供されて前記第２点対多点サービス送信ブロックは第２セルから具備される。
【００５７】
第１点対多点サービス送信ブロックを含んだ信号を送るように構成された一つ以上の送信機は、サービス無線網制御器内に配置されることができる。望ましくは、制御器はフレームオフセットと時間オフセットとのうちで一つを含んだ時間的オフセットを含むように構成される。
【００５８】
制御器はＲＲＣ信号処理メッセージ内の制御情報を含むように構成されることもできる。望ましくは、前記制御器は点対多点サービス制御チャンネルまたは放送制御チャンネルを通じて制御情報を提供するように構成される。
【００５９】
点対多点サービスはマルチメディア放送／マルチキャストサービスを含むことができる。望ましくは、制御器が送信ブロックを送るための接続フレーム番号（ＣＦＮ）と関連される時間的オフセットを含むように構成される。
【００６０】
制御器は時間的オフセットを利用して第２点対多点サービス送信ブロックを送るための接続フレーム番号を決めるように構成されることができる。望ましくは、制御器は共用範囲ベアラ情報メッセージ、現在セル点対多点範囲ベアラ情報メッセージ及び／または隣りセル点対多点範囲ベアラ情報メッセージから制御情報を含むように構成される。
【００６１】
本発明の特徴及び長所らは、下の記述から部分的に明白に記述されるか、または本発明の実施例を通じて得られることができる。本発明の前述した記載及び後述される記載は例示的なものであり、請求された本発明の追加説明を提供するためである。このような実施例は添付された図面を参照にして実施例の詳細な記載から当技術分野の当業者に明白であり、本発明は記述された特定実施例のみに制限されない。
【発明の効果】
【００６２】
本発明は、使用者端末（ＵＥ）によって效率的に受信されることができるマルチメディア放送／マルチキャストサービス（ＭＢＭＳ）送信ブロックを送受信するための装置及び方法に関するものである。たとえ本発明が移動通信装置と関連されて記述されるが、本発明は送信ブロックを效率的に送受信するところにはどこにも利用されることができる。
【発明を実施するための最良の形態】
【００６３】
添付された図面を参照して記述された本発明の望ましい実施例に対して詳しく説明される。可能であれば、同一な図面符号は全体図面を通じて同一であるか、または類似の部材を示すのに使用される。
【００６４】
図５は、ＭＢＭＳ送信ブロックの送信を示す図面である。図５に示すように、送信ブロックの送信はフレーム個数で分けて残りが０になるように一つの送信時間の間隔（ＴＴＩ）の間に送信されるフレーム個数の倍数に該当する接続フレーム番号（ＣＦＮ）に対応する時間に始めることができる。詳細には、送信ブロック送信は数学式１を満足するＣＦＮに該当する時点に始まることができる。
［数１］      ＣＦＮ  ｍｏｄ  Ｆ＝０
数学式１において、‘Ｆ’は一つのＴＴＩ送信に必要なフレーム数である。図５に示すように、一つのＴＴＩの間に必要なフレームの個数は８であるので、送信ブロックの送信時点で可能なＣＦＮは８０、８８、９６または１０４である。
【００６５】
受信側の物理階層でソフト結合を遂行するために、隣りセルから（１ＴＴＩ＋１ｓｌｏｔ）の時間内に同一な送信ブロックが受信されなければならない。しかし、一つのチャンネルを通じてＴＴＩが多様なサービスに対して同時に使用されなければならない場合には、正常にソフト結合のための時間（ｓｏｆｔ  ｃｏｍｂｉｎｉｎｇ  ｗｉｎｄｏｗ）以内に隣りセルからの送信ブロック受信が不可能で、ソフト結合が不可能になる。
【００６６】
このような問題点を解決するため、送信ブロックの送信を、フレーム個数で分けて残りが０になるように一つのＴＴＩ送信に必要なフレーム個数の倍数に該当するＣＦＮに対応しない時点に始める必要がある。詳細には、送信ブロックは、数学式１を満足しない時点に送信されなければならない。
このことを達成するために、ＭＢＭＳ送信ブロックの送信時点に関する情報は数学式１を満足するＣＦＮから一定な時間間隔を有する値、例えばフレームオフセットで決まることができる。フレームオフセット情報は、該当送信ブロックの送信が始まる時点を示すためにＮｏｄｅ  ＢとＵＥに伝達することができる。代案として、送信時点情報は数学式１を満足するＣＦＮと関係なくＭＢＭＳ送信ブロックの送信開始時点を示す新しいＣＦＮで決まることができる。
【００６７】
図６は、ＭＢＭＳ送信ブロックに対する送信時点情報を送る方法を示す。図６に示すように、ＭＢＭＳ送信ブロックに関連される送信時点情報はＲＮＣからＵＥに送信される。
【００６８】
フレームオフセットはＭＢＭＳ送信ブロックと関連される送信時点情報の一例である。例えば、図５を参照すると、フレームオフセットはＣＦＮ８０、８８または９６から所定の遅延された時点で送信ブロックの送信を始めるかを示す情報であることがある。詳細には、フレームオフセット値が２である場合には、送信ブロックの送信は、ＣＦＮ８２、９０または９８の値に該当する時点で開始され得る。
【００６９】
ＵＥは該当送信時点情報を利用してＭＢＭＳ送信ブロックの送信時点を正確に把握することができる。送信ブロックの送信時点情報はそれぞれのセルごとにお互いに違うことがある。特に、ＵＥはいくつかのセルからの多様な類型の送信時点情報を受信することができる。
【００７０】
ＵＥはＭＢＭＳ送信時点に関する受信された情報を物理階層に伝達することができる。ＵＥの物理階層はこのような情報を利用してＵＴＲＡＮから送信された送信ブロックに該当するＭＢＭＳ物理階層送信チャンネルであるＳＣＣＰＣＨの受信タイミングを正確に把握することができる。
【００７１】
ＭＢＭＳサービス送信タイミングは特にＭＢＭＳのために形成された新しいＣＦＮであることがある。ＵＥは前記新しいＣＦＮを受信して送信ブロックの正確な送信時点を把握することができる。該当送信ブロックを具備したＳＣＣＰＣＨの正確な時点を把握するために把握された送信時点が物理階層に提供されることができる。
【００７２】
ＭＢＭＳ送信ブロックの送信時点は、ＲＲＣ信号処理メッセージを通じてＵＥに伝達することができる。また、前記ＭＢＭＳ送信ブロックの送信時点はＭＣＣＨまたはＢＣＣＨを通じてＵＥに送信されることができるか、またはＭＢＭＳ共用ＲＢ情報メッセージ、ＭＢＭＳ現在セルｐ−ｔ−ｍ  ｒｂ情報メッセージ、あるいはＭＢＭＳ隣りセルｐ−ｔ−ｍ  ｒｂ情報メッセージに含まれることができる。
【００７３】
本発明の実施例は、移動通信を参照にして記述される。しかし、本発明の技術的特徴は無線通信機能を搭載したＰＤＡ（Ｐｅｒｓｏｎａｌ  Ｄｉｇｉｔａｌ  Ａｓｓｉｓｔａｎｔ）またはノートブックのような無線通信システムにも適用可能である。本発明を記述するのに使用された用語はＵＭＴＳのような無線通信システムの範囲に限定されない。本発明はＴＤＭＡ、ＣＤＭＡ、ＦＤＭＡのような他の無線インターフェース及び物理階層を使用する無線通信システムにも適用可能である。
【００７４】
本発明の技術的特徴は、ソフトウェア、ファームウェア、ハードウェアまたは前記ソフトウェア、ファームウェア及び／またはハードウェアの組合で遂行されることができる。特に、本発明の内容はハードウェアでコード、回路チップ及びＡＳＩＣのようなハードウェアロジッグを利用して具現されることができるか、またはコンピュータープログラミング言語を利用してハードディスク、プロッピィーディスク、あるいはテープまたは光ストレージ、ＲＯＭまたはＲＡＭなどのコンピューターにより判読可能な記憶媒体内のコードで具現されることができる。コンピューター判読可能媒体に保存されたコードはプロセッサによって接近可能で遂行されることができる。
【００７５】
本発明の内容を具現するコードは、送信媒体を通じて接近可能であるか、またはネットワーク上のファイルサーバーを通じて接近可能である。コードが具現された装置は、ネットワーク送信ラインのような有線送信媒体、無線送信媒体、信号送信、無線信号、または赤外線信号を含むように構成されることができる。
【００７６】
図７は、本発明の一実施例による移動通信端末機７０の回路構成図である。図７に示すように、移動通信端末機７０はアンテナ部７１、無線周波数（ＲＦ）部７２、信号処理部７３及びメモリー部７４を含む。前記信号処理部７３はマイクロプロセッサやデジタルプロセッサのような処理部を含む。移動通信端末機は特定情報を画面に表示するディスプレイ部７５、使用者から信号の入力を受けるためのキーパッド部７６及び音響信号を出力するスピーカー部７７をさらに含む。
【００７７】
移動通信端末機７０は、アンテナ部７１とＲＦ部７２を利用して一つ以上の基地局からＭＢＭＳ送信ブロックと一つ以上の送信ブロックと関連される送信時点情報を受信する。信号処理部７３は一つ以上のＭＢＭＳ送信ブロックと関連される情報を利用して送信時点に相応する一つ以上の受信されたＭＢＭＳ送信ブロックをデコーディングする。
【００７８】
本発明はＵＥがＭＢＭＳ送信ブロックの送信時点を正確に把握して、前記ＵＥがＭＢＭＳを效率的に受信するようにする。
【００７９】
本発明は、本発明の思想または実質的特徴を脱することなしに、いくつの形態で具現されることができるが、前述した実施例は前述した詳細部によって制限されるものではなく、むしろ添付された請求項に定義された本発明の思想と範囲内で広く構造化されなければならないし、それによってすべての変化または変更は請求項の範囲内に存在するか、またはこのような範囲の同等物内に存在するので、添付された請求項によって取り囲まれる。
【００８０】
前述した実施例と長所らは単純に例示的なものであり、本発明を制限するものとして構成されない。本発明の教えは、他の類型の装置にも適用されることができる。本発明の記載は例示的なものとして、請求項の範囲を制限しない。さまざまな置き換え、変形及び変更は当技術分野の当業者に明白である。請求項において、手段機能らは構造的同等物だけではなく、同等な構造物と言及された機能を遂行して前述した構造をカバーするように意図される。
【産業上の利用可能性】
【００８１】
本発明は、移動通信システムが利用されることができる。
【図面の簡単な説明】
【００８２】
【図１】一般的なＵＭＴＳの網構成の回路構成図である。
【図２】ＵＥ１とＵＴＲＡＮ２との間の無線  インターフェースプロトコル構成の図面である。
【図３】ＵＥ内のＭＢＭＳのためのチャンネル構成を示す図面である。
【図４】従来システムのＭＣＣＨの送信計画を示す図面である。
【図５】本発明の一実施例によるＭＢＭＳ送信ブロックの送信計画を示す。
【図６】本発明による送信ＭＢＭＳ送信ブロックに関連される送信時点情報を送る方法を示す。
【図７】本発明の一実施例による移動通信端末機の回路構成図である。
【符号の説明】
【００８３】
７０  移動通信端末機
７１  アンテナ部
７２  無線周波数部
７３  信号処理部
７４  メモリー部
７５  ディスプレイ部
７６  キーパッド部
７７  スピーカー部